(57)【要約】【課題】レンズシフト機構を備え、異物の挟み込みを防止できるプロジェクターを提供する。【解決手段】プロジェクター１は、画像光を生成する画像光生成部と、画像光生成部から射出された画像光を投写する投写レンズ３Ｂと、投写レンズ３Ｂを投写レンズ３Ｂの光軸に直交する第１方向に移動させるレンズシフト機構と、画像光生成部およびレンズシフト機構を収納し、投写レンズ３Ｂを囲む開口部２１１を有する外装筐体２と、外装筐体２に取り付けられる嵌合機構５と、を備える。外装筐体２は、開口部２１１の周縁の一部が切り欠かれ、投写レンズ３Ｂに対して第１方向に位置する切欠き部４を有し、嵌合機構５は、切欠き部４に嵌合して周縁の一部を形成する嵌合部６を有し、嵌合部６は、投写レンズ３Ｂ側から押圧されることにより、投写レンズ３Ｂから遠ざかるように移動する。【選択図】図３
2018017848.tif 000002
【特許請求の範囲】
【請求項１】
光源および前記光源から射出された光を変調する光変調装置を備え、画像光を生成する画像光生成部と、
前記画像光生成部から射出された前記画像光を投写する投写レンズと、
前記投写レンズを当該投写レンズの光軸に直交する第１方向に移動させるレンズシフト機構と、
前記画像光生成部および前記レンズシフト機構を収納し、前記投写レンズを囲む開口部を有する外装筐体と、
前記外装筐体に取り付けられる嵌合機構と、
を備え、
前記外装筐体は、前記開口部の周縁の一部が切り欠かれ、前記投写レンズに対して前記第１方向に位置する切欠き部を有し、
前記嵌合機構は、前記切欠き部に嵌合して前記周縁の一部を形成する嵌合部を有し、
前記嵌合部は、前記投写レンズ側から押圧されることにより、前記切欠き部に対する嵌合が解除され、少なくとも先端が前記投写レンズから遠ざかるように移動することを特徴とするプロジェクター。
【請求項２】
請求項１に記載のプロジェクターであって、
前記嵌合機構は、
前記切欠き部および前記嵌合部のいずれか一方から突出して他方に係合可能な突出状態と、前記一方からの突出量が前記突出状態より小さくなるように移動し、他方に対する係合が解除される退避状態とが可能な移動部と、
前記移動部を付勢して前記一方から突出させる付勢部と、
を備え、
前記移動部は、前記投写レンズ側から前記嵌合部への押圧で、前記付勢部の付勢力に抗して前記退避状態に移動するように、前記他方に係合していることを特徴とするプロジェクター。
【請求項３】
請求項２に記載のプロジェクターであって、
前記切欠き部は、前記嵌合部の嵌合が解除された状態で、互に対向する一対の対向端部を有し、
前記嵌合部は、前記切欠き部に嵌合した状態で、前記一対の対向端部それぞれに対向する一対の側端部を有し、
前記移動部は、前記一対の対向端部および前記一対の側端部のいずれか一方それぞれから突出可能に一対設けられ、
前記付勢部は、一対の前記移動部をそれぞれ前記一対の側端部から突出させることを特徴とするプロジェクター。
【請求項４】
請求項３に記載のプロジェクターであって、
前記嵌合部は、前記切欠き部に嵌合した状態で、前記投写レンズ側から押圧されることにより、前記切欠き部から離脱することを特徴とするプロジェクター。
【請求項５】
請求項４に記載のプロジェクターであって、
前記嵌合部は、前記外装筐体に対して離脱した状態において、前記投写レンズが前記画像光を投写する側から前記投写レンズ側に向かう方向にスライドされることにより、前記切欠き部に嵌合することを特徴とするプロジェクター。
【請求項６】
請求項３に記載のプロジェクターであって、
前記切欠き部は、前記一対の対向端部が対向する第２方向に延出する中心軸を有し、
前記嵌合部は、前記中心軸を回転中心として回転可能に前記切欠き部に軸支されていることを特徴とするプロジェクター。
【請求項７】
請求項１〜６のいずれか一項に記載のプロジェクターであって、
前記外装筐体は、前記嵌合部が前記切欠き部に嵌合した状態で、前記嵌合部を前記投写レンズ側に向かう方向に係止する係止部を有していることを特徴とするプロジェクター。
【請求項８】
請求項１〜７のいずれか一項に記載のプロジェクターであって、
当該プロジェクターは、長方形状の画像を、当該長方形状の画像の短辺に沿う方向が上下方向となる横長の画像を投写する所定の姿勢を有し、
前記第１方向は、前記所定の姿勢における上下方向であり、
前記切欠き部は、前記所定の姿勢において、前記投写レンズの下方に形成されていることを特徴とするプロジェクター。
【発明の詳細な説明】
【技術分野】
【０００１】
本発明は、プロジェクターに関する。
【背景技術】
【０００２】
従来、光源と、光源から射出された光を変調する光変調装置と、変調された光を投写する投写レンズと、これらの部材を収納する外装筐体と、を備えたプロジェクターが知られている。また、投写された画像の位置を調整できるように投写レンズを移動させるレンズシフト機構を備え、投写レンズが外装筐体の開口部内で移動可能とするプロジェクターが知られている。そして、移動する投写レンズと外装筐体の開口部の周縁との間に異物が入り込んだ場合に、投写レンズの移動を停止させるレンズシフト機構が提案されている（例えば、特許文献１参照）。
【０００３】
特許文献１に記載のレンズシフト機構は、異物検出部および動作禁止手段を備えている。異物検出部は、投写レンズの可動領域を囲むように配置され、異物によって投写レンズの移動が阻害された場合に、外力が加えられて電気的導通が生じるように構成されている。そして、動作禁止手段は、異物検出部の電気的導通に基づいて投写レンズの移動を停止させる。
【先行技術文献】
【特許文献】
【０００４】
【特許文献１】特開２００４−２０６２２号公報
【発明の概要】
【発明が解決しようとする課題】
【０００５】
しかしながら、特許文献１のレンズシフト機構は、異物検出部および動作禁止手段を備えているので、装置が複雑になるという課題がある。また、特許文献１の技術は、開口部内に異物検出部が配設される構成なので、開口部、ひいてはプロジェクターが大型化することや、開口部の大きさが制約されるため、プロジェクターのデザインにも制約を与えてしまうという課題もある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源および前記光源から射出された光を変調する光変調装置を備え、画像光を生成する画像光生成部と、前記画像光生成部から射出された前記画像光を投写する投写レンズと、前記投写レンズを当該投写レンズの光軸に直交する第１方向に移動させるレンズシフト機構と、前記画像光生成部および前記レンズシフト機構を収納し、前記投写レンズを囲む開口部を有する外装筐体と、前記外装筐体に取り付けられる嵌合機構と、を備え、前記外装筐体は、前記開口部の周縁の一部が切り欠かれ、前記投写レンズに対して前記第１方向に位置する切欠き部を有し、前記嵌合機構は、前記切欠き部に嵌合して前記周縁の一部を形成する嵌合部を有し、前記嵌合部は、前記投写レンズ側から押圧されることにより、前記切欠き部に対する嵌合が解除され、少なくとも先端が前記投写レンズから遠ざかるように移動することを特徴とする。
【０００８】
この構成によれば、投写レンズは、外装筐体の開口部内で移動可能に構成されている。そして、この開口部の周縁には、投写レンズが移動する第１方向に切欠き部が設けられ、この切欠き部には、嵌合部が嵌合されている。そして、嵌合部は、投写レンズ側から押圧されると、少なくとも先端が投写レンズから遠ざかるように構成されている。これによって、第１方向における開口部の大きさを、投写レンズの移動可能な可動領域に近づけて設定しても異物の挟み込みを防止することが可能となる。すなわち、投写レンズが嵌合部に対して離れた位置から近づく方向に移動され、投写レンズと嵌合部（開口部の周縁）との間に異物が入り込んだ場合、一時的に異物が挟まれたとしても、嵌合部が異物を介して押圧され、投写レンズから遠ざかるように移動するので、異物が圧迫されることなく、投写レンズの移動が可能となる。よって、プロジェクターは、投写される画像を移動できる第１方向における小型化や、開口部の大きさの制約が緩和されることによるデザイン性の向上が可能となる。ここで、異物とは、物に限らず、プロジェクターを取り扱うユーザーの指等も含むものとする。
【０００９】
［適用例２］上記適用例に係るプロジェクターにおいて、前記嵌合機構は、前記切欠き部および前記嵌合部のいずれか一方から突出して他方に係合可能な突出状態と、前記一方からの突出量が前記突出状態より小さくなるように移動し、他方に対する係合が解除される退避状態とが可能な移動部と、前記移動部を付勢して前記一方から突出させる付勢部と、を備え、前記移動部は、前記投写レンズ側から前記嵌合部への押圧で、前記付勢部の付勢力に抗して前記退避状態に移動するように、前記他方に係合していることが好ましい。
【００１０】
この構成によれば、嵌合機構は、嵌合部に加え、移動部および付勢部を備えている。そして、移動部は、付勢部に付勢され、切欠き部および嵌合部のいずれか一方から突出して他方に係合可能に構成されている。また、移動部は、投写レンズ側から嵌合部への押圧で退避状態に移動するように、他方に係合している。これによって、簡単な構成で、嵌合部が切欠き部に嵌合された嵌合状態、および切欠き部に対する嵌合部の嵌合が解除された解放状態を実現することが可能となる。
【００１１】
［適用例３］上記適用例に係るプロジェクターにおいて、前記切欠き部は、前記嵌合部の嵌合が解除された状態で、互に対向する一対の対向端部を有し、前記嵌合部は、前記切欠き部に嵌合した状態で、前記一対の対向端部それぞれに対向する一対の側端部を有し、前記移動部は、前記一対の対向端部および前記一対の側端部のいずれか一方それぞれから突出可能に一対設けられ、前記付勢部は、一対の前記移動部をそれぞれ前記一対の側端部から突出させることが好ましい。
【００１２】
この構成によれば、嵌合部は、移動部を介して両側が切欠き部に支持されるので、切欠き部への高精度な配置や、安定した押圧力での移動が可能となる。よって、開口部の周縁が外装筐体と嵌合部とで形成される構成であっても、外観を損なうことなく開口部の周縁を形成することや、安定した押圧力で嵌合状態から解放状態に移行させる構成が可能となる。
【００１３】
［適用例４］上記適用例に係るプロジェクターにおいて、前記嵌合部は、前記切欠き部に嵌合した状態で、前記投写レンズ側から押圧されることにより、前記切欠き部から離脱することが好ましい。
【００１４】
この構成によれば、嵌合部は、投写レンズ側から押圧されると外装筐体から離脱するので、投写レンズと嵌合部との間への異物の挟み込みをより確実に防止することができる。
【００１５】
［適用例５］上記適用例に係るプロジェクターにおいて、前記嵌合部は、前記外装筐体に対して離脱した状態において、前記投写レンズが前記画像光を投写する側から前記投写レンズ側に向かう方向にスライドされることにより、前記切欠き部に嵌合することが好ましい。
【００１６】
この構成によれば、プロジェクターの姿勢を変えることなく、容易に、嵌合部を切欠き部に嵌合させることが可能となる。
【００１７】
［適用例６］上記適用例に係るプロジェクターにおいて、前記切欠き部は、前記一対の対向端部が対向する第２方向に延出する中心軸を有し、前記嵌合部は、前記中心軸を回転中心として回転可能に前記切欠き部に軸支されていることが好ましい。
【００１８】
この構成によれば、解放状態において、ユーザーは、嵌合部を投写レンズ側に押圧することで容易に嵌合状態にすることができる。よって、投写レンズと嵌合部との間に異物を挟み込まない構成を実現しつつ、より簡単な操作で解放状態から嵌合状態に移行させることが可能となる。また、嵌合部は、解放状態においても、外装筐体と分離しないので、嵌合部自体の取扱い性の向上や紛失防止が可能となる。
【００１９】
［適用例７］上記適用例に係るプロジェクターにおいて、前記外装筐体は、前記嵌合部が前記切欠き部に嵌合した状態で、前記嵌合部を前記投写レンズ側に向かう方向に係止する係止部を有していることが好ましい。
【００２０】
この構成によれば、外装筐体には、上述した係止部が設けられているので、嵌合部は、切欠き部に嵌合した状態で、投写レンズ側へ押圧されても移動が規制される。よって、プロジェクターは、開口部の周縁の一部となる嵌合部にユーザーの指等が掛けられて取り扱われても、嵌合部が切欠き部に嵌合した状態が維持される。よって、開口部の周縁の一部に嵌合部が配置される構成であっても、取扱いが損なわれないプロジェクターが可能となる。
【００２１】
［適用例８］上記適用例に係るプロジェクターにおいて、当該プロジェクターは、長方形状の画像を、当該長方形状の画像の短辺に沿う方向が上下方向となる横長の画像を投写する所定の姿勢を有し、前記第１方向は、前記所定の姿勢における上下方向であり、前記切欠き部は、前記所定の姿勢において、前記投写レンズの下方に形成されていることが好ましい。
【００２２】
この構成によれば、プロジェクターは、所定の姿勢として、例えば、机上等に載置された姿勢で横長の画像を投写する。そして、切欠き部、すなわち、嵌合部は、この所定の姿勢で投写レンズの下方に設けられている。所定の姿勢において、投写レンズの下方は、プロジェクターの外部から見えにくく、嵌合部は、この見えにくい部位に配置されている。これによって、投写レンズの下方を充分に確認するまでもなく、異物を挟み込みなく投写レンズを下方に移動させることができる。よって、気軽にレンズシフト機構を操作できるプロジェクターの提供が可能となる。
【図面の簡単な説明】
【００２３】
【図１】本実施形態のプロジェクターの概略構成を示す模式図。
【図２】本実施形態のプロジェクターの前側を示す斜視図。
【図３】本実施形態のプロジェクターの前側を示す斜視図であり、嵌合部が切欠き部から離脱された状態を示す図。
【図４】本実施形態の解放状態における切欠き部および嵌合機構を前方斜め上方から見た斜視図。
【図５】本実施形態の解放状態における切欠き部および嵌合機構を前方斜め下方から見た斜視図。
【図６】本実施形態の対向端部を示す斜視図であり、図４におけるＡ部の拡大図。
【図７】本実施形態の対向端部を示す斜視図であり、図５におけるＢ部の拡大図。
【図８】本実施形態の嵌合機構の分解斜視図であり、−Ｘ側斜め上方から見た図。
【図９】本実施形態の嵌合機構の分解斜視図であり、＋Ｘ側斜め下方から見た図。
【図１０】本実施形態の嵌合機構の断面図。
【図１１】本実施形態の嵌合状態における嵌合機構、およびフロントケースの一部を示す断面斜視図。
【図１２】変形例における切欠き部および嵌合機構を示す模式図。
【発明を実施するための形態】
【００２４】
以下、本実施形態に係るプロジェクターについて、図面を参照して説明する。
本実施形態のプロジェクターは、光源から射出された光を画像情報に応じて変調し、スクリーン等の投写面に画像を投写する。また、本実施形態のプロジェクターは、レンズシフト機構を備え、投写面に投写された画像を移動できるように構成されている。
【００２５】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源３１１を有する光学ユニット３、および嵌合機構５を備える。なお、図示は省略するが、外装筐体２の内部には、さらに、光源３１１や制御部等に電力を供給する電源装置や、光学ユニット３等を冷却する冷却装置等が配置されている。なお、以下では、説明の便宜上、プロジェクター１から射出される光の方向を前方（＋Ｙ方向）、机上等に載置されたプロジェクター１において、鉛直方向の上側を上方（＋Ｚ方向）、後方から見たプロジェクター１の左側を左方（＋Ｘ方向）として記載する。
【００２６】
図２は、プロジェクター１の前側を示す斜視図である。
外装筐体２は、図２に示すように、前側を形成するフロントケース２１、上側を形成するアッパーケース２２、下側を形成するロアーケース（図示省略）等を備え、これらの部材は、互いにネジ等により固定されている。
【００２７】
フロントケース２１は、外面となる前面２１Ｆ、上面２１Ｕ、および下面２１Ｄ（図５参照）を有している。前面２１Ｆには、開口部２１１、排気口２１２、および２つのリモコン受光窓２１３が設けられている。
開口部２１１は、内面２１１Ａを有し、光学ユニット３の後述する投写レンズ３Ｂの先端側（光の射出側）を囲む。
【００２８】
排気口２１２は、開口部２１１の−Ｘ側に設けられている。外装筐体２内部の温まった空気は、冷却装置が備える排気ファンによってこの排気口２１２から排出される。
２つのリモコン受光窓２１３は、開口部２１１の近傍で、ロアーケース寄りに設けられ、赤外線を透過するフィルター部材で形成されている。フロントケース２１内には、このリモコン受光窓２１３の内側に、制御部に接続されたリモコン受光部（図示省略）が配置されている。
【００２９】
また、フロントケース２１は、開口部２１１の周縁の一部が切り欠かれた切欠き部４を有している。切欠き部４は、後で詳細に説明するが、投写レンズ３Ｂの下方に形成され、前側（＋Ｙ側）が開口するように切り欠かれている。
【００３０】
アッパーケース２２は、詳細な説明は省略するが、フロントケース２１の上面２１Ｕに倣う上面２２Ｕを有し、この上面２２Ｕには、操作パネルが配置されている。プロジェクター１は、操作パネルの操作やリモコン（リモートコントローラー）による遠隔操作により、各種設定や動作が実行される。
【００３１】
ロアーケースは、詳細な説明は省略するが、フロントケース２１の下面２１Ｄ（図５参照）に倣う下面（図示省略）を有し、この下面から外装筐体２を支持する脚部（図示省略）が突出して配置されている。プロジェクター１は、机上等に載置された所定の姿勢を有し、この所定の姿勢において脚部が机上に当接して配置される。
また、外装筐体２には、図示は省略するが、外部の空気を取り込む吸気口が形成され、この吸気口の内側には外部の空気に混在する塵埃の侵入を防止するためのフィルター部材が配置されている。
【００３２】
制御部は、ＣＰＵ（Central Processing Unit）やＲＯＭ（Read Only Memory）、ＲＡＭ（Random Access Memory）等を有し、コンピューターとして機能するものであり、プロジェクター１の動作の制御、例えば、画像の投写に関わる制御を行う。
【００３３】
光学ユニット３は、制御部による制御の下、光源３１１から射出された光を光学的に処理して投写する。
光学ユニット３は、外装筐体２に収納され、図１に示すように、画像光生成部３Ａ、投写レンズ３Ｂ、およびレンズシフト機構３Ｃを備える。
画像光生成部３Ａは、光源装置３１、インテグレーター照明光学系３２、色分離光学系３３、リレー光学系３４、光学装置３５、およびこれらの光学部品を光路上の所定位置に配置する光学部品用筐体３７を備える。
【００３４】
光源装置３１は、超高圧水銀ランプやメタルハライドランプ等からなる放電型の光源３１１、およびリフレクター３１２を備え、光源３１１から射出された光をリフレクター３１２によって反射し、インテグレーター照明光学系３２に向けて射出する。
【００３５】
インテグレーター照明光学系３２は、第１レンズアレイ３２１、第２レンズアレイ３２２、偏光変換素子３２３、および重畳レンズ３２４を備える。第１レンズアレイ３２１、第２レンズアレイ３２２、および重畳レンズ３２４は、光源装置３１から射出された光を複数の部分光に分割し、この部分光を後述する液晶パネルの表面に略重畳させる。偏光変換素子３２３は、第２レンズアレイ３２２から射出されたランダム光を液晶パネルで利用可能な直線偏光光に揃える。
【００３６】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する。
【００３７】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３８】
光学装置３５は、各色光用に設けられた光変調装置３５１（Ｒ光用の光変調装置３５１を３５１Ｒ、Ｇ光用の光変調装置３５１を３５１Ｇ、Ｂ光用の光変調装置３５１を３５１Ｂとする）および色合成光学装置としてクロスダイクロイックプリズム３５２を備え、色分離光学系３３で分離された各色光を画像情報に応じて変調し、変調した各色光を合成する。
【００３９】
各光変調装置３５１は、透過型の液晶パネル、および液晶パネルの光入射側に配置された入射側偏光板、液晶パネルの光射出側に配置された射出側偏光板を有している。
液晶パネルは、図示しない微小画素がマトリクス状に形成された矩形状の画素領域を有している。光変調装置３５１は、液晶パネルの各画素が表示画像信号に応じた光透過率に設定され、画素領域内に表示画像を形成する。そして、色分離光学系３３で分離された各色光は、光変調装置３５１にて変調された後、クロスダイクロイックプリズム３５２に射出される。
【００４０】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、光変調装置３５１Ｒ，３５１Ｂにて変調された色光を反射し、光変調装置３５１Ｇにて変調された色光を透過して、各色光を合成し、画像光として射出する。このように、画像光生成部３Ａは、画像光を生成する。
【００４１】
投写レンズ３Ｂは、光軸３Ｂｊに沿って配置される複数のレンズを有し、クロスダイクロイックプリズム３５２から射出された画像光をスクリーン等に拡大投写する。また、プロジェクター１は、所定の姿勢で、上下方向のサイズより左右方向のサイズが大きな長方形状の横長の画像を投写する。すなわち、所定の姿勢で投写された長方形状の画像は、この長方形状の画像の短辺に沿う方向が上下方向となる。なお、光軸３Ｂｊは、Ｙ方向に沿うこととなる。
【００４２】
レンズシフト機構３Ｃは、詳細な説明は省略するが、光学部品用筐体３７に取り付けられるヘッド体、投写レンズ３Ｂを保持し、ヘッド体に移動可能に支持される移動部材、および移動部材を移動させる電動式の駆動機構等を備える。そして、レンズシフト機構３Ｃは、操作パネルやリモコンの操作に応じて投写レンズ３Ｂを光軸３Ｂｊに直交する方向に移動させる。本実施形態のレンズシフト機構３Ｃは、投写レンズ３Ｂを２方向（Ｘ方向、およびＺ方向）に移動させることが可能に構成されている。Ｚ方向は、第１方向に相当し、Ｘ方向は、第２方向に相当する。
【００４３】
嵌合機構５は、フロントケース２１の切欠き部４に嵌合する嵌合部６を備え、フロントケース２１に取り付けられる。嵌合部６は、投写レンズ３Ｂ側から押圧されると、切欠き部４に対する嵌合が解除され、投写レンズ３Ｂから遠ざかるように移動する。本実施形態では、嵌合部６が投写レンズ３Ｂ側から押圧されると、切欠き部４から離脱するように構成されている。
【００４４】
図３は、プロジェクター１の前側を示す斜視図であり、嵌合部６が切欠き部４から離脱された状態を示す図である。
嵌合部６は、フロントケース２１から離脱された状態で、フロントケース２１の前方、すなわち、投写レンズ３Ｂが画像光を投写する側から投写レンズ３Ｂに向かう方向にスライドされることによって、切欠き部４に嵌合されるように構成されている。そして、嵌合部６は、嵌合部６が切欠き部４に嵌合されると、開口部２１１の周縁の一部を形成する。以下、嵌合部６が切欠き部４に嵌合された状態を嵌合状態、嵌合部６が移動され、切欠き部４に対する嵌合が解除された状態を解放状態という。
【００４５】
〔嵌合機構の構成〕
ここで、嵌合機構５について、詳細に説明する。
先ず、フロントケース２１の切欠き部４について詳細に説明する。
切欠き部４は、図３に示すように、投写レンズ３Ｂの下方、すなわち、投写レンズ３Ｂに対し、投写レンズ３Ｂが移動可能な方向のうちの−Ｚ方向（第１方向）に形成されている。
図４は、解放状態における切欠き部４および嵌合機構５を前方斜め上方から見た斜視図である。図５は、解放状態における切欠き部４および嵌合機構５を前方斜め下方から見た斜視図である。
【００４６】
切欠き部４は、図４、図５に示すように、Ｙ方向よりＸ方向が長い矩形状に形成され、解放状態におけるＸ方向（第２方向）において、互に対向する一対の対向端部４１、および一対の対向端部４１それぞれの−Ｙ側の端部（切欠き部４における奥側の端部）に繋がる内側端部４２を有している。
【００４７】
一対の対向端部４１は、左右対称の形状を有している。ここでは、＋Ｘ側の対向端部４１に注目して説明する。
図６は、＋Ｘ側の対向端部４１を示す斜視図であり、図４におけるＡ部の拡大図である。図７は、＋Ｘ側の対向端部４１を示す斜視図であり、図５におけるＢ部の拡大図である。
対向端部４１は、図６、図７に示すように、所定の距離を隔ててＹ方向に沿って延出する第１突出部４１１、第２突出部４１２、および第１突出部４１１と第２突出部４１２との間に形成された案内溝４１Ｇを有している。
第１突出部４１１は、内側端部４２まで延出しており、内面２１１Ａに交差する端面４１ａ、下面４１１ｄ、および傾斜面４１１ｓを有している。
下面４１１ｄは、Ｘ−Ｙ平面に略沿う平面である。傾斜面４１１ｓは、第１突出部４１１の先端側（＋Ｙ側の端部側）に設けられ、＋Ｙ側に向かう程、＋Ｘ側になるように傾斜している。
【００４８】
第２突出部４１２は、第１突出部４１１の下方に形成され、内側端部４２まで延出しており、ガイド斜面４１２ｕ、下面４１２ｄ、および傾斜面４１２ｓを有している。
ガイド斜面４１２ｕは、第２突出部４１２の上側の面であり、第１突出部４１１の下面４１１ｄに対向しており、対向する対向端部４１（−Ｘ側の対向端部４１）に向かう程、下方に位置するように傾斜している。下面４１２ｄは、第２突出部４１２の下側の面であり、図７に示すように、フロントケース２１の外面（下面２１Ｄ）より凹んで形成され、Ｘ−Ｙ平面に略沿う平面である。すなわち、下面２１Ｄと第２突出部４１２との間には、段差４１Ｗが形成されている。傾斜面４１２ｓは、第１突出部４１１の傾斜面４１１ｓに倣って傾斜している。
【００４９】
案内溝４１Ｇは、第１突出部４１１の下面４１１ｄ、第２突出部４１２のガイド斜面４１２ｕ、および底面４１Ｖで形成されている。
底面４１Ｖは、図７に示すように、前側底面４１Ｖａ、後側底面４１Ｖｂ、および傾斜面４１Ｖｃを有している。
前側底面４１Ｖａは、案内溝４１Ｇの先端側（＋Ｙ側）に形成されている。後側底面４１Ｖｂは、前側底面４１Ｖａの内側端部４２側（−Ｙ側）に設けられ、前側底面４１Ｖａより凹んでいる。傾斜面４１Ｖｃは、前側底面４１Ｖａと後側底面４１Ｖｂとを繋ぎ、Ｙ−Ｚ平面に対し傾斜している。
【００５０】
内側端部４２は、図７に示すように、内面２１１Ａおよび端面４１ａに交差する端面４２ａ、および端面４２ａの下側に形成され、端面４２ａおよび下面２１Ｄから凹み、段差４１Ｗに繋がる段差４２Ｗを有している。段差４２Ｗは、下面４１２ｄに繋がる下面４２ｄを有している。下面４１２ｄ，４２ｄは、係止部に相当する。
【００５１】
次に、嵌合機構５について説明する。
嵌合機構５は、一対の対向端部４１と同様に左右対称に形成され、切欠き部４に係合可能に構成されている。
図８は、嵌合機構５の＋Ｘ側（左側）の分解斜視図であり、−Ｘ側斜め上方から見た図である。図９は、嵌合機構５の＋Ｘ側の分解斜視図であり、＋Ｘ側斜め下方から見た図である。
嵌合機構５は、図８、図９に示すように、嵌合部６に加え、移動部７、付勢部としてのコイルバネ５１、規制板５２、およびネジ５３を備えている。移動部７、コイルバネ５１、規制板５２、およびネジ５３は、嵌合部６の左右両側にそれぞれ配置されている。
【００５２】
図１０は、嵌合機構５の＋Ｘ側の断面図である。
嵌合部６は、合成樹脂製で、図９、図１０に示すように、外観部６１および部材取付部６２を有している。
外観部６１は、切欠き部４に嵌合可能に平面視矩形状に形成されている。外観部６１は、上面形成部６１１（図８参照）および下面形成部６１２（図９参照）を有し、Ｙ−Ｚ平面における断面がＵ字状に形成されている。上面形成部６１１は、嵌合状態でフロントケース２１の内面２１１Ａに倣う上面６１Ａを有し、下面形成部６１２は、嵌合状態でフロントケース２１の下面２１Ｄに倣う下面６１Ｂを有している。そして、外観部６１は、上面形成部６１１が切欠き部４の端面４１ａ，４２ａ（図４参照）で囲まれた領域に挿入され、下面形成部６１２が段差４１Ｗ，４２Ｗ（図５参照）と嵌合するように形成されている。
【００５３】
部材取付部６２は、嵌合部６の左右端部にそれぞれ設けられている。嵌合部６における部材取付部６２を含む左右の端部（側端部６Ｅ、図９参照）それぞれは、嵌合状態において、切欠き部４の対向端部４１に対向する。
ここでは、＋Ｘ側の部材取付部６２に注目して説明する。
部材取付部６２は、図９、図１０に示すように、上面形成部６１１と下面形成部６１２とを繋ぐベース部６２１、ベース部６２１から＋Ｘ側に突出するボス６２２、規制板受部６２３、および一対の案内リブ６２４を有している。
【００５４】
ベース部６２１は、板状に形成され、中央には、丸孔６２１ｈが形成されている。
ボス６２２は、嵌合部６の先端側（＋Ｙ側端部近傍）に設けられており、円柱形状を有し、中央にはネジ穴が形成されている。
規制板受部６２３は、丸孔６２１ｈのボス６２２とは反対側（嵌合部６の−Ｙ側端部近傍）に設けられており、Ｘ−Ｚ平面に沿う板状に形成されている。規制板受部６２３には、図９に示すように、＋Ｚ側の端部に、ボス６２２の端面と同一の高さ（Ｘ方向における高さ）に凹む端面６２３Ａが形成されている。
【００５５】
一対の案内リブ６２４は、それぞれが板状に形成され、ボス６２２および規制板受部６２３それぞれから互いに向かって突出している。また、一対の案内リブ６２４は、互いに所定の離間隔て形成されている。
【００５６】
次に、移動部７、コイルバネ５１、規制板５２、およびネジ５３について、嵌合部６の＋Ｘ側に配置された部材に注目して説明する。
移動部７は、コイルバネ５１に付勢され、Ｘ方向に移動可能に構成されている。
移動部７は、図８、図１０に示すように、基部７１、係合部７２、第１ガイド部７３、および一対の第２ガイド部７４を有している。
【００５７】
基部７１は、上面形成部６１１と下面形成部６１２との間に挿入可能で、Ｚ方向よりＹ方向が長い平面視矩形状に形成されている。
係合部７２は、図８、図９に示すように、基部７１の＋Ｘ側の周縁の内側から突出しており、対向端部４１の案内溝４１Ｇ（図４参照）に挿入可能に形成されている。
係合部７２は、上面７２ｕ、被ガイド斜面７２１、斜面７２２および突起７２３を有している。
【００５８】
上面７２ｕは、係合部７２の上側の面であり、Ｘ−Ｙ平面に沿って形成されている。被ガイド斜面７２１は、係合部７２の下側の面の先端側（＋Ｘ側）に設けられ、先端に向かう程上側（＋Ｚ側）に位置するように傾斜している。斜面７２２は、係合部７２の先端部の＋Ｙ側、−Ｙ側に設けられている。突起７２３は、係合部７２の先端の中央に設けられ、平面視半円状に形成され、上面７２ｕおよび被ガイド斜面７２１それぞれに倣う面を有している。
【００５９】
第１ガイド部７３は、基部７１の中央部から−Ｘ側に突出しており、図１０に示すように、ベース部６２１の丸孔６２１ｈに挿通されるように形成されている。
一対の第２ガイド部７４は、基部７１から−Ｘ側に突出しており、Ｙ方向における第１ガイド部７３の両側に設けられている。また、一対の第２ガイド部７４は、基部７１からの突出量が第１ガイド部７３の突出量より小さく形成されている。一対の第２ガイド部７４は、互いに対称となるように形成され、図１０に示すように、第１ガイド部７３とは反対側に、一対の案内リブ６２４がそれぞれ挿通される溝７４１が形成されている。
【００６０】
コイルバネ５１は、ベース部６２１の丸孔６２１ｈの内径より大きな内径を有して形成され、図１０に示すように、ベース部６２１と移動部７の基部７１との間に配置される。そして、コイルバネ５１は、移動部７を付勢し、嵌合部６（側端部６Ｅ）から係合部７２の先端を突出させる。
【００６１】
規制板５２は、板金からプレス加工により形成され、コイルバネ５１に付勢された移動部７に当接し、移動部７の所定以上の＋Ｘ側への移動を規制する。
規制板５２は、図８に示すように、本体部５２１、接続部５２２、および引掛部５２３を有している。
本体部５２１は、上面形成部６１１と下面形成部６１２との間に挿入可能な平面視矩形状に形成され、矩形状の角孔５２１１、および丸孔５２１２が形成されている。
角孔５２１１は、移動部７の係合部７２が挿通され、基部７１が当接する大きさに形成されている。丸孔５２１２は、角孔５２１１の＋Ｙ側に設けられ、嵌合部６のボス６２２に対応する位置に形成されている。
【００６２】
接続部５２２は、本体部５２１の−Ｙ側端部から−Ｘ側に屈曲されている。引掛部５２３は、接続部５２２の−Ｘ側端部から＋Ｙ側に屈曲されており、図１０に示すように、規制板受部６２３の−Ｘ側の端部に引掛けられるように形成されている。
規制板５２は、角孔５２１１に移動部７の係合部７２が挿入され、引掛部５２３が規制板受部６２３に引掛けられ、本体部５２１がボス６２２および端面６２３Ａに載置された後、丸孔５２１２から挿入されたネジ５３がボス６２２のネジ穴に挿入されて、部材取付部６２に固定される。
【００６３】
嵌合機構５における移動部７は、図４に示すように、解放状態において、係合部７２の先端側が嵌合部６から飛び出して配置され、切欠き部４に係合可能な突出状態となる。また、移動部７は、コイルバネ５１の付勢力に抗する力が加えられると、側端部６Ｅからの飛び出し量が小さくなるように移動し、切欠き部４に対する係合が解除される退避状態が可能に構成されている。
【００６４】
嵌合部６（嵌合機構５）は、図４、図５に示すように、フロントケース２１の前方からスライドされることによって切欠き部４に嵌合する。具体的に、嵌合部６（嵌合機構５）は、左右の移動部７それぞれの係合部７２が切欠き部４の案内溝４１Ｇに挿入されて−Ｙ方向に押圧される。移動部７は、係合部７２に斜面７２２（図９参照）が形成されているので、嵌合部６（嵌合機構５）が−Ｙ方向に押圧されることによって、側端部６Ｅからの飛び出し量が小さくなるように滑らかに移動する。そして、嵌合部６（嵌合機構５）は、外観部６１の−Ｙ側の端部が切欠き部４の内側端部４２に当接するまでスライドされると、切欠き部４に嵌合する嵌合状態となる。
【００６５】
図１１は、嵌合状態における嵌合機構５、およびフロントケース２１の一部を示す断面斜視図である。
嵌合状態において、嵌合部６は、図１１に示すように、また、前述したように、上面形成部６１１が切欠き部４の端面４１ａ，４２ａで囲まれた領域に挿入され、下面形成部６１２が段差４１Ｗ，４２Ｗ（図５参照）と嵌合する。移動部７は、被ガイド斜面７２１が切欠き部４のガイド斜面４１２ｕに当接して配置される。また、図示は省略するが、嵌合状態において、嵌合部６（嵌合機構５）は、移動部７の突起７２３が切欠き部４の案内溝４１Ｇにおける傾斜面４１Ｖｃに当接し、＋Ｙ方向への移動が規制され、嵌合状態が維持される。
【００６６】
そして、嵌合状態において、図１１に示すように、嵌合部６（嵌合機構５）は、投写レンズ３Ｂ側から押圧される（図１１に示すＦｄ）と、左右の移動部７は、被ガイド斜面７２１が切欠き部４のガイド斜面４１２ｕを摺動し、互いに近づく方向に移動して退避状態となる。その結果、嵌合部６は、切欠き部４との係合が解除されて解放状態となる。このように、移動部７は、投写レンズ３Ｂ側から嵌合部６への押圧で、コイルバネ５１の付勢力に抗して退避状態に移動するように、切欠き部４に係合している。
【００６７】
一方、嵌合機構５（嵌合部６）は、嵌合状態において、投写レンズ３Ｂ側への押圧（図１１に示すＦｕ）に対しては、下面形成部６１２が下面４１２ｄ，４２ｄ（係止部、図７参照）に係止されるので、嵌合状態が維持される。また、嵌合機構５（嵌合部６）は、ユーザーがプロジェクター１を移動する際に、指が掛けられて持ち上げられても嵌合状態が維持されるような耐力を有している。
【００６８】
以上説明したように、本実施形態の構成によれば、以下の効果を得ることができる。
（１）嵌合部６は、投写レンズ３Ｂ側から押圧されると、投写レンズ３Ｂから遠ざかるように構成されている。これによって、Ｚ方向（第１方向）における開口部２１１の大きさを、投写レンズ３Ｂの移動可能な可動領域に近づけて設定しても異物の挟み込みを防止することが可能となる。すなわち、投写レンズ３Ｂが嵌合部６に対して離れた位置から近づく方向に移動され、投写レンズ３Ｂと嵌合部６との間に異物が入り込んだ場合、一時的に異物が挟まれたとしても、嵌合部６が異物を介して押圧され、投写レンズ３Ｂから遠ざかるように移動するので、異物が圧迫されることなく、投写レンズ３Ｂの移動が可能となる。よって、プロジェクター１は、投写される画像を移動できるＺ方向における小型化や、開口部２１１の大きさの制約が緩和されることによるデザイン性の向上が可能となる。
【００６９】
（２）嵌合機構５は、嵌合部６に加え、移動部７およびコイルバネ５１を備えている。そして、移動部７は、コイルバネ５１に付勢され、嵌合部６から突出して切欠き部４に係合可能に構成されている。また、移動部７は、投写レンズ３Ｂ側から嵌合部６への押圧で退避状態に移動するように、切欠き部４に係合している。これによって、簡単な構成で、嵌合状態および解放状態を実現することが可能となる。
【００７０】
（３）嵌合部６は、移動部７を介して左右両側が切欠き部４に支持されるので、切欠き部４への高精度な配置や、安定した押圧力での移動が可能となる。よって、開口部２１１の周縁がフロントケース２１と嵌合部６とで形成される構成であっても、外観を損なうことなく開口部２１１の周縁を形成することや、安定した押圧力で嵌合状態から解放状態に移行させる構成が可能となる。
【００７１】
（４）嵌合部６は、投写レンズ３Ｂ側から押圧されるとフロントケース２１から離脱するので、投写レンズ３Ｂと嵌合部６との間への異物の挟み込みをより確実に防止することができる。
【００７２】
（５）嵌合部６は、解放状態において、投写レンズ３Ｂが画像光を投写する側から投写レンズ３Ｂ側に向かう方向にスライドされることにより、切欠き部４に嵌合する。これによって、プロジェクター１の姿勢を変えることなく、すなわち所定の姿勢のまま、容易に、嵌合部６を切欠き部４に嵌合させることが可能となる。
また、プロジェクター１が載置される載置面とロアーケースとの距離を小さく設定しても、すなわち、ロアーケースからの脚部の飛び出し量を小さくしても、所定の姿勢のまま、容易に、嵌合部６を切欠き部４に嵌合させることが可能となる。よって、プロジェクター１のさらなるデザイン性の向上が可能となる。
【００７３】
（６）フロントケース２１には、嵌合部６が係止される下面４１２ｄ，４２ｄ（係止部）が設けられ、嵌合部６は、投写レンズ３Ｂ側へ押圧されても嵌合状態が維持される。よって、開口部２１１の周縁の一部に嵌合部６が配置される構成であっても、取扱いが損なわれないプロジェクター１が可能となる。
【００７４】
（７）プロジェクター１は、机上等に載置された所定の姿勢で横長の画像を投写する。そして、嵌合部６は、この所定の姿勢で投写レンズ３Ｂの下方に設けられている。所定の姿勢において、投写レンズ３Ｂの下方は、プロジェクター１の外部から見えにくく、嵌合部６は、この見えにくい部位に配置されている。これによって、投写レンズ３Ｂの下方を充分に確認するまでもなく、異物を挟み込みなく投写レンズ３Ｂを下方に移動させることができる。よって、気軽にレンズシフト機構３Ｃを操作できるプロジェクター１の提供が可能となる。
【００７５】
なお、本発明は上述した実施形態に限定されず、上述した実施形態に種々の変更や改良などを加えることが可能である。変形例を以下に述べる。
（変形例１）
前記実施形態の嵌合機構５は、投写レンズ３Ｂ側からの押圧で切欠き部４から離脱するように構成されているが、少なくとも先端が投写レンズ３Ｂから遠ざかるように移動すれば、離脱しない構成であってもよい。
図１２は、変形例における切欠き部８および嵌合機構９を示す模式図であり、解放状態を示す図である。
切欠き部８には、一対の対向端部８１が対向するＸ方向（第２方向）に延出し、内側端部８３寄りに中心軸８ｊが設けられ、各対向端部８１には、凹部８２が形成されている。
【００７６】
嵌合機構９は、中心軸８ｊを回転中心として回転可能に切欠き部８に軸支された嵌合部９１、嵌合部９１における左右の端部から突出し、Ｘ方向に移動可能で凹部８２に係合可能な移動部９２、および図示しない付勢部を備えている。
嵌合部９１は、下側の面に沿って左右両側に突出する突起９１１が形成されている。
嵌合部９１は、嵌合状態で投写レンズ３Ｂ側から押圧されると、中心軸８ｊを回転中心として回転し、先端側が投写レンズ３Ｂから遠ざかり解放状態となる。また、嵌合部９１は、解放状態から投写レンズ３Ｂ側に押圧されると、中心軸８ｊを回転中心として回転し、移動部９２が凹部８２に係合して嵌合状態となる。また、嵌合部９１は、嵌合状態において、さらに、投写レンズ３Ｂ側に押圧されても、突起９１１が切欠き部８の縁部に係止するので、それ以上の回転が規制される。
【００７７】
この変形例によれば、解放状態において、ユーザーは、嵌合部９１を投写レンズ３Ｂ側に押圧することで容易に嵌合状態にすることができる。よって、投写レンズ３Ｂと嵌合部９１との間に異物を挟み込まない構成を実現しつつ、より簡単な操作で解放状態から嵌合状態に移行させることが可能となる。また、嵌合部９１は、解放状態においても、外装筐体２と分離しないので、嵌合部９１自体の取扱い性の向上や紛失防止が可能となる。
【００７８】
（変形例２）
前記実施形態の嵌合機構５は、移動部７、コイルバネ５１（付勢部）が嵌合部６内に配置されて構成されているが、移動部、付勢部が外装筐体内に配置される嵌合機構を構成しもよい。
【００７９】
（変形例３）
前記実施形態の切欠き部４および嵌合機構５は、投写レンズ３Ｂの下方に設けられているが、投写レンズ３Ｂに対し、投写レンズ３Ｂが移動する方向であれば下方に限らず、投写レンズ３Ｂの上方や、左方、右方であってもよい。
また、複数の切欠き部および嵌合部を備ええる構成であってもよい。
【００８０】
（変形例４）
前記実施形態の嵌合部６とフロントケース２１とを紐状の部材で繋ぐように構成してもよい。
【００８１】
（変形例５）
前記実施形態では、付勢部としてコイルバネ５１を用いているが、板バネ等を付勢部として構成してもよい。
【００８２】
（変形例６）
前記実施形態のレンズシフト機構３Ｃは、投写レンズ３Ｂを光軸３Ｂｊに直交する２方向に移動可能に構成されているが、１方向、例えば、Ｘ方向のみやＺ方向のみが移動可能となるように構成してもよい。
【００８３】
（変形例７）
前記実施形態のプロジェクター１は、電動式のレンズシフト機構３Ｃを備えているが、使用者が操作可能な操作部（例えば、ダイヤル等）を有し、この操作部の操作によって投写レンズ３Ｂを移動させる手動式のレンズシフト機構を備える構成であってもよい。
【００８４】
（変形例８）
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００８５】
（変形例９）
前記実施形態の光源装置３１は、放電型の光源３１１を採用しているが、その他の方式の光源や発光ダイオード、レーザー等の固体光源で構成してもよい。
【符号の説明】
【００８６】
１…プロジェクター、２…外装筐体、３Ａ…画像光生成部、３Ｂ…投写レンズ、３Ｂｊ…光軸、３Ｃ…レンズシフト機構、４，８…切欠き部、５，９…嵌合機構、６，９１…嵌合部、６Ｅ…側端部、７，９２…移動部、８ｊ…中心軸、４１，８１…対向端部、４２ｄ，４１２ｄ…下面（係止部）、５１…コイルバネ（付勢部）、７２…係合部、２１１…開口部、３１１…光源、３５１，３５１Ｂ，３５１Ｇ，３５１Ｒ…光変調装置、４１２ｕ…ガイド斜面、７２１…被ガイド斜面。
【図１】
2018017848.tif 000003
【図２】
2018017848.tif 000004
【図３】
2018017848.tif 000005
【図４】
2018017848.tif 000006
【図５】
2018017848.tif 000007
【図６】
2018017848.tif 000008
【図７】
2018017848.tif 000009
【図８】
2018017848.tif 000010
【図９】
2018017848.tif 000011
【図１０】
2018017848.tif 000012
【図１１】
2018017848.tif 000013
【図１２】
2018017848.tif 000014